(57)【要約】【課題】各爪の根元とブラシ面との高低差を確実に確保して、鋭利な形状の裁断シート材の咬み込みを効果的に防止できる裁断機の搬出案内装置を提供する。【解決手段】ブラシ面上で裁断した裁断シート材Ｓを吸引状態のまま搬出側テーブル２４に対し複数の爪３５を備えたコーム３４により掬い上げて受け渡すものにおいて、各爪３５の根元をスプロケット２６の中心よりも搬送方向上流側に位置させている。コーム３４の各爪３５の根元をブラシ面１３１との間で浮かせるように当該ブラシ面１３１に接触した状態で介在するスペーサー５をコーム３４の各爪３５の根元から搬出側テーブル２４の内方側端部に亘る対応部位Ａの下面に取り付ける。このスペーサー５に、搬送方向上流側のブラシ面１３１に対する接触を回避するように搬送方向上流端より搬送方向下流側へ向かって直線状に斜め下方向へ延びる斜面５１によって切り欠いた切欠部５０を設けている。【選択図】図３
2020127986.tif 000002
【特許請求の範囲】
【請求項１】
ブラシ面上で裁断されて吸引状態のままスプロケット間で搬送される裁断シート材を、搬送方向下流側にて前記ブラシ面よりも高所に位置する受渡面に対し複数の爪を備えたコームにより掬い上げて受け渡すとともに、前記各爪の根元を前記両スプロケットのうちの前記裁断シート材の搬送方向下流側のスプロケットの中心よりも搬送方向上流側に位置させた裁断機の搬出案内装置であって、
前記コームの各爪の根元を前記ブラシ面との間で浮かせるように当該ブラシ面に対し接触した状態で介在するスペーサーが前記受渡面及び前記コームのうちの少なくともいずれか一方の下面に設けられていることを特徴とする裁断機の搬出案内装置。
【請求項２】
前記スペーサーは、前記裁断シート材の搬送方向上流側のブラシ面側において当該ブラシ面に対する接触を回避するように前記裁断シート材の搬送方向上流端より搬送方向下流側へ向かって切り欠いた切欠部を備えていることを特徴とする請求項１に記載の裁断機の搬出案内装置。
【請求項３】
前記スペーサーは、前記裁断シート材の搬送方向と直交する幅方向へ連続的に延びる短冊状に形成されていることを特徴とする請求項１又は請求項２に記載の裁断機の搬出案内装置。
【発明の詳細な説明】
【技術分野】
【０００１】
本発明は、裁断機においてブラシ面上で裁断した裁断シート材を搬出する際に咬み込みを防止するように案内する搬出案内装置に関する。
【背景技術】
【０００２】
従来より、この種の裁断機の搬出案内装置としては、ブラシ面上で裁断された裁断シート材をスプロケット間で搬送するようにしたものが知られている（特許文献１参照）。
【０００３】
また、ブラシ面上で裁断シート材を裁断しながら搬送するようにしたものもある（特許文献２参照）。このものでは、裁断シート材はブラシ面上で吸引状態のまま搬送され、ブラシ面上の裁断エリアを越えるような長尺な裁断シート材の裁断も可能とし、裁断効率の向上を図る上で有利なものとなる。
【０００４】
そして、前記特許文献１のものにあっては、裁断機の搬送方向下流側に複数の爪を備えたコームが設けられ、このコームによりブラシ面から裁断シート材を掬い上げて受渡面に受け渡すようにしている。
【０００５】
このようなコームの各爪の根元は、搬送方向下流側のスプロケットの中心よりも搬送方向下流側に位置している。そのため、受渡面がコームよりも更に搬送方向下流側に位置することになり、裁断機の搬送方向の長さが長くなって大型化してしまう。
【０００６】
そこで、コームの各爪の根元を搬送方向下流側のスプロケットの中心よりも搬送方向上流側に位置させることで、受渡面をブラシ面に近付けて裁断機の搬送方向の長さを短くし、裁断機の小型化を図るようにしたものが提案されている（特許文献３参照）。
【先行技術文献】
【特許文献】
【０００７】
【特許文献１】特許第２７３５８０５号公報
【特許文献２】特許第５１００３６９号公報
【特許文献３】特開２００９−７２８８６号公報
【発明の概要】
【発明が解決しようとする課題】
【０００８】
ところで、上記提案のもののように、コームの各爪の根元が搬送方向下流側のスプロケットの中心よりも搬送方向上流側に位置していると、受渡面をブラシ面よりも高所に位置させる必要がある。これは、ブラシ面を構成する、裁断機の搬送方向に複数並べた剛毛ブラシの各ブロックが、スプロケットの周りを回転する際に搬送方向両端部がスプロケットに対し浮き上がった状態で回転して受渡面と接触するからである。かかる点から、各ブロックの搬送方向端部との接触を回避する上で受渡面をブラシ面よりも高所に位置付ける必要があった。
【０００９】
しかも、コームの各爪の根元が搬送方向下流側のスプロケットの中心よりも搬送方向上流側に位置していれば、裁断シート材がブラシ面上で吸引状態のまま搬送される際に、コーム及び受渡面にも吸引による影響が出やすいものとなる。このとき、コームの各爪の根元がブラシ面付近まで吸引されると、各爪の根元とブラシ面との高低差が詰まってしまい、その間に裁断シート材が咬み込んでしまうことがある。これは、裁断された裁断シート材の形状にも起因し、搬送方向下流側に向かって先端が尖るように裁断された鋭利な形状の裁断シート材であれば、より顕著に現れる傾向となる。
【００１０】
なお、裁断シート材としては、生地シートから裁断された裁断生地（裁断パーツ）及び裁断残生地のほか、生地シートを載置する際にブラシ面上に敷く下敷紙シートから生地シートと共に裁断された裁断紙及び裁断残紙、並びに複数枚を積層して用いた生地シートを上から覆って密閉する密閉ビニルシートから生地シートと共に裁断された裁断ビニル及び裁断残ビニルなどが含まれる。
【００１１】
鋭利な形状の裁断シート材では、各爪のピッチに引き込まれ易いため、各爪の根元とブラシ面との高低差の詰まりによって各爪のピッチに引き込まれた際の逃がし空間が存在していないと、ピッチに引き込まれた途端に咬み込んでしまい、残りの部分も巻き込んでしまうことになる。これに対し、各爪の根元とブラシ面との高低差が確保されていれば、鋭利な形状の裁断シート材であっても、各爪のピッチに引き込まれた際の逃がし空間となり、ピッチに引き込まれずに残った部分によって搬送に伴い引き戻される。
【００１２】
本発明は、かかる点に鑑みてなされたものであり、その目的とするところは、各爪の根元とブラシ面との高低差が確実に確保されるようにして、鋭利な形状の裁断シート材の咬み込みを効果的に防止することができる裁断機の搬出案内装置を提供することにある。
【課題を解決するための手段】
【００１３】
前記目的を達成するため、本発明では、ブラシ面上で裁断されて吸引状態のままスプロケット間で搬送される裁断シート材を、搬送方向下流側にて前記ブラシ面よりも高所に位置する受渡面に対し複数の爪を備えたコームにより掬い上げて受け渡すとともに、前記各爪の根元を前記両スプロケットのうちの前記裁断シート材の搬送方向下流側のスプロケットの中心よりも搬送方向上流側に位置させた裁断機の搬出案内装置を前提とする。そして、前記コームの各爪の根元を前記ブラシ面との間で浮かせるように当該ブラシ面に対し接触した状態で介在するスペーサーを前記受渡面及び前記コームのうちの少なくともいずれか一方の下面に設けることを特徴としている。
【００１４】
また、前記スペーサーに、前記裁断シート材の搬送方向上流側のブラシ面側において当該ブラシ面に対する接触を回避するように前記裁断シート材の搬送方向上流端より搬送方向下流側へ向かって切り欠いた切欠部を設けていてもよい。
【００１５】
更に、前記スペーサーを、前記裁断シート材の搬送方向と直交する幅方向へ連続的に延びる短冊状に形成していてもよい。
【発明の効果】
【００１６】
以上、コームの各爪の根元をブラシ面との間で浮かせるように当該ブラシ面に対し接触した状態で介在するスペーサーを、受渡面及びコームのうちの少なくともいずれか一方の下面に設けることで、各爪の根元とブラシ面との高低差が確実に確保される。このため、鋭利な形状の裁断シート材が各爪のピッチに引き込まれた際に各爪の根元とブラシ面との高低差が逃がし空間となり、引き込まれた裁断シート材が、ピッチに引き込まれずに残った部分によって搬送に伴い引き戻される。これにより、鋭利な形状の裁断シート材の咬み込みを効果的に防止することができる。
【００１７】
また、スペーサーに、搬送方向上流側のブラシ面側にブラシ面に対する接触を回避するように裁断シート材の搬送方向上流端より搬送方向下流側へ向かって切り欠いた切欠部を設けることで、スペーサーの切欠部によってブラシ面との接触面を搬送方向下流側にずらせて、鋭利な形状の裁断シート材の逃がし空間を拡張でき、鋭利な形状の裁断シート材の咬み込みをより効果的に防止することができる。
【００１８】
更に、スペーサーを、裁断シート材の搬送方向と直交する幅方向へ連続的に延びる短冊状に形成することで、スペーサーをブラシ面に対して幅方向に均等に接触させ、ブラシ面の摩耗やスプロケットの回転負荷を幅方向で均一にすることができる。
【図面の簡単な説明】
【００１９】
【図１】本発明の実施の形態に係る搬出案内装置を備えた裁断機の縦断側面図である。
【図２】図１の搬出案内装置付近の平面図である。
【図３】図１の搬出案内装置の搬出側のコーム付近を拡大した拡大図である。
【図４】図２の搬出案内装置の搬出側のコーム付近に裁断シート材が送られてきた状態を示す説明図である。
【発明を実施するための形態】
【００２０】
以下、本発明の実施の形態を図面に基づいて説明する。
【００２１】
図１は本発明の実施の形態に係る搬出案内装置を備えた裁断機の縦断側面図、図２は図１の搬出案内装置付近の平面図をそれぞれ示している。
【００２２】
図１及び図２において、裁断機１は、略矩形枠状の枠体１０に囲まれた裁断テーブル１１を備えている。裁断テーブル１１は、その長手方向に剛毛ブラシのブロック１２，１２，…を並べたコンベア１３で構成され、各ブロック１２の剛毛の先端で表面が形成されている。なお、生地シート１４は、裁断テーブル１１のブラシ面１３１に敷かれた通気性を有する下敷紙シート１５上に載置される。
【００２３】
剛毛で形成される裁断テーブル１１は通気性を有し、コンベア１３の上側部位に設けられた吸引室１６によりコンベア１３上の生地シート１４を吸引して保持した状態で枠体１０の長手方向へ搬送する。このとき、生地シート１４は通気性があるので、複数枚を積層して用いられ、合成樹脂フィルムなどの密閉ビニルシート１７によって上から覆うことで、全体を吸引して保持することを可能としている。
【００２４】
また、裁断機１は、裁断テーブル１１の表面に沿って移動する裁断ヘッド２１を備えている。この裁断ヘッド２１は、裁断テーブル１１側（下方）へ向かって突出する裁断刃２２を備えている。各ブロック１２の剛毛は、合成樹脂などを素材とし、裁断刃２２が裁断テーブル１１の表面から侵入すると、弾性的に変形して刃先から逃れる。なお、裁断ヘッド２１を裁断テーブル１１の表面に沿って移動させる機構は、記載を省略している。
【００２５】
コンベア１３の一部となる裁断テーブル１１の搬入側には搬入側テーブル２３が設けられ、生地シート１４の準備や裁断テーブル１１上への導入作業などを行う。裁断テーブル１１の搬出側には受渡面としての搬出側テーブル２４が設けられ、下流側に設けたピックアップテーブル等へ裁断シート材Ｓを受け渡す際に使用する。この場合、コンベア４を稼働させての搬入や搬出の作業時には、搬入側テーブル２３や搬出側テーブル２４の表面から空気流が噴出し、裁断シート材Ｓを浮上させて移動し易くしている。
【００２６】
搬入側テーブル２３及び搬出側テーブル２４の裁断テーブル１１と向き合う内方側端部は、それぞれ裁断シート材Ｓの搬送方向（図１に白抜き矢印で示す）の両側のスプロケット２５，２６の中心よりも内方側寄りにそれぞれ位置している。
【００２７】
また、搬入側テーブル２３及び搬出側テーブル２４は、それぞれの表面が裁断テーブル１１のブラシ面１３１よりも高所に位置している。これは、ブラシ面１３１を構成する各ブロック１２が、スプロケット２５，２６の周りを回転する際に当該スプロケット２５，２６の周りから浮き上がった状態で回転する搬送方向両端部との接触を回避する上で、搬入側テーブル２３及び搬出側テーブル２４をブラシ面１３１よりも高所に位置付ける必要があるからである。
【００２８】
搬入側テーブル２３及び搬出側テーブル２４の内方側端部には、搬入案内装置３１及び搬出案内装置３２が設けられている。搬入案内装置３１及び搬出案内装置３２は、ブラシ面１３１との間に高低差があっても裁断シート材Ｓの移動が円滑に行えるように表面に斜面を有するコーム３３，３４を備えている。各コーム３３，３４は、その基端が搬入側テーブル２３及び搬出側テーブル２４の内方側端に連結されている。各コーム３３，３４には、基部３０（搬出側テーブル２４側のもののみ示す）よりそれぞれ突出する櫛歯状の複数の爪３５，３５，…が裁断シート材Ｓの搬送方向と直交する幅方向に等ピッチで設けられている。
【００２９】
図３は図１の搬出案内装置３２の搬出側のコーム３４付近を拡大した拡大図、図４は図２の搬出案内装置３２の搬出側のコーム３４付近に裁断シート材Ｓが送られてきた状態を示す説明図をそれぞれ示している。
【００３０】
この図３及び図４にも示すように、搬出案内装置３２のコーム３４の各爪３５は、裁断シート材Ｓの搬送方向上流側に向かって突出し、それぞれ先端部が各ブロック１２の剛毛中に侵入するように下向きに傾斜している。なお、搬出案内装置３２のコーム３４の各爪３５の根元は、裁断シート材Ｓの搬送方向下流側のスプロケット２６の中心よりも搬送方向上流側に位置している。
【００３１】
各ブロック１２の下端には、裁断シート材Ｓの幅方向に延びる複数の軸４１，４１，…が回転自在に支持されている。この各軸４１には、複数のローラ４２が回転一体に連結されているとともに、互いに幅方向で相隣なるローラ４２同士の間に当該各ローラ４２よりも小径な円筒部材４３が回転自在に支持されている。
【００３２】
各スプロケット２５，２６には、各ブロック１２の円筒部材４３と係脱自在に係合する略半円弧状の係合部２７，２７，…が凹設されている。そして、コンベア１３は、各スプロケット２５，２６のうちの一方のスプロケット２５の駆動によって、両スプロケット２５，２６間で巻回された各ブロック１２の円筒部材４３を順に係脱動作して搬送されるようにしている。また、各ブロック１２のうち、それぞれの剛毛の先端で裁断テーブル１１の表面を形成する上側部位での各ブロック１２は、搬送方向へ略水平に延びるレール２８上を各ローラ４２が転動することで、裁断テーブル１１の表面（上側部位の各ブロック１２の剛毛先端）を略水平面状としている。
【００３３】
コーム３４の各爪３５の根元をブラシ面１３１との間で浮かせるように当該ブラシ面１３１に接触した状態で介在するスペーサー５が、コーム３４の各爪３５の根元から搬出側テーブル２４の内方側端部に亘る対応部位Ａの下面に取り付けられている。このとき、スペーサー５は、搬出側テーブル２４及び搬出側のコーム３４のうちの少なくともいずれか一方の下面に設けられていればよく、搬出側のコーム３４の各爪３５の根元をブラシ面１３１との間で浮かせるように当該ブラシ面１３１に対し接触した状態で介在していればよい。
【００３４】
また、スペーサー５は、裁断シート材Ｓの搬送方向上流側のブラシ面１３１側においてそのブラシ面１３１に対する接触を回避するように裁断シート材Ｓの搬送方向上流端より搬送方向下流側へ向かって直線状に斜め下方向へ延びる斜面５１によって切り欠いた切欠部５０が設けられている。更に、スペーサー５は、裁断シート材Ｓの搬送方向と直交する幅方向（図３では紙面手前奥方向）へ連続的に延びる短冊状に形成されている。このスペーサー５は、コーム３４の幅とほぼ同じ幅に設定されている。
【００３５】
図４中の符号１４１は、生地シート１４から裁断された裁断シート材Ｓの裁断生地（裁断パーツ）、符号１４２は裁断残生地である。また、符号１４３は、裁断残生地１４２のうち、搬送方向下流側に向かって先端が尖るように裁断された鋭利な形状の突起片であって、これらの突起片１４３の延長線Ｘ上にそれぞれコーム３４の各爪３５のピッチが位置している状態を図４において示している。このとき、各爪３５のピッチを可及的に狭くして突起片１４３が引き込まれ難くすることも有効である。
【００３６】
したがって、本実施の形態では、コーム３４の各爪３５の根元をブラシ面１３１との間で浮かせるように当該ブラシ面１３１に接触した状態で介在するスペーサー５が、コーム３４の各爪３５の根元から搬出側テーブル２４の内方側端部に亘る対応部位Ａの下面に取り付けられているので、各爪３５の根元が吸引されてもブラシ面１３１との高低差が確実に確保される。高低差の確保により、各爪３５の下面とブラシ面１３１との間には逃がし空間が形成され、突起片１４３が各爪３５のピッチに引き込まれたとしても、突起片１４３の先端が逃がし空間内にあれば咬み込みは生じない。さらに、ピッチに引き込まれずに残った裁断残生地１４２が各爪３５の上面が成す傾斜面に沿って高所まで引き上げられることで、突起片１４３はピッチ内から引き戻される。これにより、鋭利な形状の裁断シート材Ｓの突起片１４３の咬み込みを効果的に防止することができる。
【００３７】
また、スペーサー５に、裁断シート材Ｓの搬送方向上流端より搬送方向下流側へ向かって直線状に斜め下方向へ延びる斜面５１によって切り欠いた切欠部５０が設けられているので、スペーサー５の切欠部５０によって裁断テーブル１１のブラシ面１３１との接触面を搬送方向下流側にずらせて、裁断残生地１４２の鋭利な形状となる突起片１４３の逃がし空間を拡張でき、突起片１４３の咬み込みをより効果的に防止することができる。
【００３８】
更に、スペーサー５が、コーム３４の各爪３５の根元から搬出側テーブル２４の内方側端部に亘る対応部位Ａの下面を搬送方向と直交する幅方向へ連続的に延びる短冊状に形成されているので、スペーサー５を裁断テーブル１１のブラシ面１３１に対して幅方向に均等に接触させ、ブラシ面１３１の摩耗やスプロケット２５，２６の回転負荷を幅方向で均一にすることができる。
【００３９】
なお、本発明は前記実施の形態に限定されるものではなく、その他種々の変形例を包含している。例えば、前記実施の形態では、スペーサー５を裁断シート材Ｓの幅方向へ連続的に延びる短冊状に形成したが、スペーサーは裁断シート材の幅方向へ連続的に延びていなくてもよく、複数のスペーサーが僅かな隙間を存して幅方向へ断続的に並べて設けられていてもよい。また、複数のスペーサーの形状は、短冊を分割したようなブロック状のものに限らず、円形状や楕円形状などの皿状のものであってもよい。
【００４０】
また、前記実施の形態では、スペーサー５をコーム３４の各爪３５の根元から搬出側テーブル２４の内方側端部に亘る対応部位Ａの下面に取り付けたが、スペーサーが、コームの各爪の根元、又は搬出側テーブルの内方側端部に一体的に、若しくは両者に一体的に設けられていてもよい。
【００４１】
また、前記実施の形態では、スペーサー５に、直線状に斜め下方向へ延びる斜面５１によって切り欠いた切欠部５０を設けたが、裁断シート材の搬送方向上流端より搬送方向下流側へ向かって、弧を描いて斜め下方向へ湾曲する曲面によって切り欠いた切欠部や、斜め下方向へ階段状に切り欠いた切欠部であってもよい。また、スペーサー５に切欠部が設けられていなくてもよい。
【００４２】
更に、前記実施の形態では、通気性のある生地シート１４を複数枚積層して用いたが、生地シートの枚数は１枚でもよく、通気性のない皮革や樹脂などの場合は密閉ビニルシートを用いなくてもよい。
【００４３】
また、前記実施の形態では、裁断シート材Ｓから裁断された裁断残生地１４２のうちの鋭利な形状の突起片１４３が咬み込む場合について述べたが、裁断シート材から裁断された裁断生地のうちの搬送方向下流側に向かって先端が尖るような鋭利な形状の突起片の場合にも同様の効果が得られるのはいうまでもない。
【符号の説明】
【００４４】
１          裁断機
１３１      ブラシ面
２４        搬出側テーブル（受渡面）
２５，２６  スプロケット
３２        搬出案内装置
３４        コーム
３５        爪
５          スペーサー
５０        切欠部
Ａ          対応部位
Ｓ          裁断シート材
【図１】
2020127986.tif 000003
【図２】
2020127986.tif 000004
【図３】
2020127986.tif 000005
【図４】
2020127986.tif 000006